(57)【要約】【課題】風防ガラスを介して、下方に存在するソーラーセルが透けて見えることがなく、外観品質、美観上も優れ、時計ケース胴体の上面の風防ガラスの部分に装飾処理が施され、装飾性が高く、美観上も優れ、デザインバリエーションの拡大化が図れ、しかも、ソーラー受光面への集光効率が高く、ソーラー発電機能に優れた時計を提供する。【解決手段】時計ケース胴体の視認側に装着され、多面カットされた風防ガラスと、時計ケース胴体の近傍に配置され、時計を駆動するソーラーセルとを備え、風防ガラスの多面カット面を介して、外部の光をソーラーセルに集光させるように構成した。【選択図】図５
2010151511.tif 000002
【特許請求の範囲】
【請求項１】
時計ケース胴体の視認側に装着され、多面カットされた風防ガラスと、
時計を駆動するソーラーセルとを備え、
前記ソーラーセルが時計ケース胴体内部に配設され、
前記多面カットされた風防ガラスが、視認側に膨出するように形成されており、前記風防ガラスの多面カット面を介して、外部の光をソーラーセルに集光するように構成したことを特徴とする時計。
【請求項２】
前記多面カットされた風防ガラスの視認側と反対側に、内面凹部が形成されていることを特徴とする請求項１に記載の時計。
【請求項３】
前記多面カットされた風防ガラスが、多面カットされた多面カット領域と、多面カットされていない視認領域とを備えることを特徴とする請求項1から２のいずれかに記載の時
計。
【請求項４】
前記多面カット領域の内面に、内面被膜が形成されていることを特徴とする請求項３に記載の時計。
【請求項５】
前記時計ケース胴体側の表面に、多面カット領域に対応して内面被膜が形成されていることを特徴とする請求項３に記載の時計。
【請求項６】
前記多面カット領域が、風防ガラスの外周側に形成され、
前記視認領域が、風防ガラスの内周側に形成されていることを特徴とする請求項３から５のいずれかに記載の時計。
【請求項７】
前記多面カット領域が、風防ガラスの外周に沿って、環状に形成されていることを特徴とする請求項３から６のいずれかに記載の時計。
【請求項８】
前記多面カット領域が、複数の多面カット領域から構成されていることを特徴とする請求項３から７のいずれかに記載の時計。
【請求項９】
前記視認領域が、複数の視認領域から構成されていることを特徴とする請求項３から８のいずれかに記載の時計。
【請求項１０】
前記ソーラーセルが、時計ケース胴体の内周面側に配置されていることを特徴とする請求項１から９のいずれかに記載の時計。
【請求項１１】
前記ソーラーセルの受光面が、内周側に立設した状態で配置されていることを特徴とする請求項１０に記載の時計。
【請求項１２】
前記ソーラーセルの受光面の内周側に、光透過可能な部材からなる見返し部材が配置されていることを特徴とする請求項１１に記載の時計。
【請求項１３】
前記ソーラーセルが、時計ケース胴体の上面側に配置されていることを特徴とする請求項１から９のいずれかに記載の時計。
【請求項１４】
前記ソーラーセルのソーラー受光面が、水平な状態で配置されていることを特徴とする請求項１３に記載の時計。
【請求項１５】
前記ソーラーセルが、環状のソーラーセルであることを特徴とする請求項９から１４のいずれかに記載の時計。
【発明の詳細な説明】
【技術分野】
【０００１】
本発明は、例えば、腕時計などにおいて、多面カットなどの装飾処理が施された風防ガラスを備えた時計、特に、時計ケース胴体の上面の風防ガラスの部分に装飾処理が施された装飾性が高く、ソーラー発電機能に優れた時計に関する。
【背景技術】
【０００２】
従来、腕時計において、装飾性、デザインのバリエーションの拡大、高級感を向上するために、時計ケース胴体の上面（視認側）に、多面カット処理が施されたガラス部材である風防を備えた腕時計が、特許文献１（特開昭５５−０４７４７３号公報）において既に提案されている。
【０００３】
この従来のガラス部材を備えた腕時計について、特許文献１の腕時計を模式的に示したのが、図１９の平面図、図２０の部分拡大断面図である。
なお、本明細書において、「上面」、「上方向」、「上方」、「表側」とは、時計の視認側を言い、「下面」、「下方向」、「下方」、「裏側」とは、時計の視認側と反対側を言う。
【０００４】
図１９、図２０に示したように、従来の腕時計１００は、時計ケース胴体１０２を備えており、時計ケース胴体１０２の上方に、上方フランジ１０４が、周方向内側に突設され、見返し部１０６を構成している。そして、この上方フランジ１０４の上面に、いわゆる多面カット処理が施された風防ガラス１０８が、嵌合されている。
【０００５】
そして、この多面カット処理が施された風防ガラス１０８は、多面カットされた多面カット領域１０８ａと、多面カットされていない略平坦な視認領域１０８ｂとを備えており、多面カット領域１０８ａが、風防ガラス１０８の外周側に形成され、視認領域１０８ｂが、風防ガラス１０８の外周側に形成されている。
【０００６】
これにより、視認領域１０８ｂを介して、時刻などの上方を視認することができるようになっている。
一方、裏蓋１１０が、図示しないネジなどの締結部材によって、時計ケース胴体１０２の下面側に固定されている。なお、この時計ケース胴体１０２の下方部分と、裏蓋１１０の間にはパッキン１１２が介装されている。
【０００７】
また、図１９、図２０中、符号１１４は、防水パッキン、１１６は、表示板、１１８は、ムーブメント、１２０は、ムーブメント１１８を支持する支持枠、１２２は、バンドの連結部材、１２４は、バンド、１２６は、リューズなどの操作部材を示している。
【０００８】
近年、ソーラーセル機器、特に、時計においては、ソーラーセル（太陽電池）からなるソーラー発電装置を備え、このソーラー発電装置が発電した電力によって駆動されるソーラー時計が市場を大きく占めるようになっている。
【０００９】
このため、特許文献２（特開昭５２−１０６７６３号公報）などでは、図２１に示したようなソーラー機能付き時計２００が提案されている。
このソーラー機能付き時計２００では、図２１に示したように、時計ケース胴体２０２の上面に、環状のソーラーセル装着用凹部２０４を形成して、このソーラーセル装着用凹部２０４内に、平板状のリング形状のソーラーセル２０６が、そのソーラー受光面２０６ａが、視認側に水平な状態で配置されている。そして、このソーラーセル２０６とムーブ
メント２１６とは、配線２２２によって電気的に接続されている。
【００１０】
なお、図２１中、符号２０８は、裏蓋、２１０は、パッキン、２１２は、防水パッキン、２１４は、表示板、２１８は、ムーブメント２１６を支持する支持枠、２２０は、風防ガラスを示している。
【００１１】
なお、図示しないが、特許文献２では、時計ケース胴体２０２の内周側の表示板２１４の上面に別の装着部材を配設して、この装着部材のソーラーセル装着用凹部２０４にソーラーセル２０６を配置している。
【００１２】
一方、特許文献３（国際公開ＷＯ  ２００４／０６６０４２  Ａ１）では、図２２に示したようなソーラー機能付き時計３００が提案されている。
このソーラー機能付き時計３００では、図２２に示したように、時計ケース胴体３０２の内周面側に、中枠３０４の上部３０４ａが突出しており、その内周面側に、リング形状のソーラーセル３０６が、そのソーラー受光面３０６ａが、内周側に立設した状態で配置されている。
【００１３】
そして、このソーラーセル３０６のソーラー受光面３０６ａの内周側に、光透過可能な部材からなる見返し部材３２４が配置されている。そして、このソーラーセル３０６とムーブメント３１６とは、配線３２２によって電気的に接続されている。
【００１４】
なお、図２２中、符号３０８は、裏蓋、３１０は、パッキン、３１２は、防水パッキン、３１４は、表示板、３１８は、風防ガラスを示している。
さらに、特許文献４（特公昭６２−３２４２５号公報）では、図２３に示したようなソーラー機能付き時計４００が提案されている。
【００１５】
このソーラー機能付き時計４００では、図２３に示したように、時計ケース胴体４０２の内周面側に、中枠４０４の上部４０４ａが突出しており、その内周面側に、リング形状のソーラーセル４０６が、そのソーラー受光面４０６ａが、内周側に立設した状態で配置されている。
【００１６】
そして、風防ガラス４１８の外周側に、ソーラーセル４０６に向かって下方にテーパー形状に延設されたプリズム部分４１８ａが形成されている。これにより、外部からの光が、このプリズム部分４１８ａを介して、ソーラー受光面４０６ａ集光されて、発電効率が向上するようになっている。
【特許文献１】特開昭５５−０４７４７３号公報
【特許文献２】特開昭５２−１０６７６３号公報
【特許文献３】国際公開ＷＯ  ２００４／０６６０４２  Ａ１
【特許文献４】特公昭６２−３２４２５号公報
【発明の開示】
【発明が解決しようとする課題】
【００１７】
ところで、特許文献１に記載の腕時計１００では、多面カット処理が施された風防ガラス１０８が設けられているので、装飾性、デザインのバリエーションの拡大、高級感を向上することができる。
【００１８】
しかしながら、この装飾性に優れた腕時計１００は、従来の電池で駆動するタイプの腕時計であって、ソーラー発電装置が発電した電力によって駆動されるソーラー時計ではなく、電池の寿命があり、電池を交換するなどの管理、費用が必要であり、不便である。
【００１９】
このため、従来の時計のように、表示板の下方に、ソーラーセルを配置することが考えられるが、風防ガラス１０８の多面カットされた多面カット領域１０８ａによって、光が拡散されることになって、表示板の下方に存在するソーラーセルに光が集光されなくなり、発電効率が低下することになる。
【００２０】
一方、特許文献２などの従来のソーラー機能付き時計２００ではいずれも、風防ガラス２２０を介して、下方に存在する平板状のソーラーセル２０６が透けて見えるため、外観品質、美観上も劣り、高級感に欠けることにもなる。
【００２１】
また、特許文献３のソーラー機能付き時計３００では、ソーラーセル３０６が、そのソーラー受光面３０６ａが、内周側に立設した状態で配置され、しかも、光透過可能な部材からなる見返し部材３２４が前面に配置されているので、特許文献２などの従来のソーラー機能付き時計２００と比較した場合、風防ガラス３１８を介して、ソーラーセル３０６がある程度透けて見えないようになっている。
【００２２】
しかしながら、特許文献３のソーラー機能付き時計３００でも、風防ガラス２２０、光透過可能な部材からなる見返し部材３２４を介して、ソーラーセル３０６が完全に見えないようにすることはできず、外観品質、美観上も劣り、高級感に欠けることにもなる。
【００２３】
さらに、特許文献３のソーラー機能付き時計３００の場合には、図２２に示したように、ソーラーセル３０６のソーラー受光面３０６ａの受光面積を大きくして、発電効率を向上しようとする場合には、風防ガラス３１８と表示板３１４との間の距離Ｌ１を大きくして、見返し部材３２４、ソーラーセル３０６の垂直方向の長さを大きくする必要がある。
【００２４】
このため、ソーラー機能付き時計３００の厚さが厚くなってしまい、装飾性、高級感などに欠けることになる。
さらに、風防ガラス３１８を介して、表示板３１４を視認した場合にも奥行きがあるように観者に見えて、ソーラー機能付き時計３００の厚さが厚いように認識されてしまい、装飾性、高級感などに欠けることになる。
【００２５】
また、特許文献４の４００では、図２３に示したように、風防ガラス４１８の外周側に、ソーラーセル４０６に向かって下方にテーパー形状に延設されたプリズム部分４１８ａを形成しなければならず、風防ガラス４１８の加工が複雑になり、コストが高くつくことにもなる。
【００２６】
また、外部からの光が、このプリズム部分４１８ａを介して、ソーラー受光面４０６ａ集光されるようになっているが、部分的に風防ガラス４１８から外部から入る光を集光されるだけであり、多くの光は発電に寄与することがなく、発電効率の向上という点で未だ不十分である。
【００２７】
さらに、特許文献２〜４のいずれのソーラー機能付き時計においても、風防ガラスは平板な形状の板ガラスから構成されているので、装飾性、デザインバリエーション、高級感に欠けることになる。
【００２８】
本発明は、このような現状に鑑み、風防ガラスを介して、下方に存在するソーラーセルが透けて見えることがなく、外観品質、美観上も優れ、時計ケース胴体の上面の風防ガラスの部分に装飾処理が施され、装飾性が高く、美観上も優れ、デザインバリエーションの拡大化が図れ、しかも、ソーラー受光面への集光効率が高く、ソーラー発電機能に優れた時計を提供することを目的とする。
【００２９】
また、本発明は、発電効率を上げるために、風防ガラスと表示板との間の距離を大きくする必要がなく、風防ガラスを介して、表示板を視認した場合にも奥行きがあるように観者に見えることがなく、装飾性、高級感に溢れ、しかも、ソーラー受光面への集光効率が高く、ソーラー発電機能に優れた時計を提供することを目的とする。
【課題を解決するための手段】
【００３０】
本発明は、前述したような従来技術における課題及び目的を達成するために発明されたものであって、本発明の時計は、
時計ケース胴体の視認側に装着され、多面カットされた風防ガラスと、
時計を駆動するソーラーセルとを備え、
前記多面カットされた風防ガラスが、視認側に膨出するように形成されており、前記風防ガラスの多面カット面を介して、外部の光をソーラーセルに集光するように構成したことを特徴とする。
【００３１】
このように構成することによって、時計ケース胴体の視認側に装着され、多面カットされた風防ガラスによって、装飾性が高く、美観上も優れ、デザインバリエーションの拡大化が図れ、斬新なデザインの時計を提供することができる。
【００３２】
また、多面カットされた風防ガラスによって、この多面カット面で光が散乱されるので、防ガラスを介して、下方に存在するソーラーセルが透けて見えることがなく、外観品質、美観上も優れる。
【００３３】
さらに、風防ガラスの多面カット面を介して、外部の光を屈折させて、時計ケース胴体の近傍に配置されたソーラーセルに集光させることができるので、多くの光をソーラーセルのソーラー受光面へ集光でき、集光効率が高く、ソーラー発電機能に優れた時計を提供することができる。
【００３４】
特に、本発明の時計では、後述するように、風防ガラスの多面カット面を介して入射した光が、風防ガラスの多面カット面を介して屈折されて、時計ケース胴体の近傍に配置されたるソーラーセルに集光させることができるので、多くの光をソーラーセルのソーラー受光面へ集光でき、集光効率が高く、ソーラー発電機能に優れた時計を提供することができる。
【００３５】
また、このように集光効率が高いので、発電効率を上げるために、風防ガラスと表示板との間の距離を大きくする必要がなく、時計の厚さを薄くすることができ、しかも、多面カットされた風防ガラスを介して、表示板を視認した場合にも奥行きがあるように観者に見えることがなく、時計の厚さが薄く認識され装飾性、高級感に溢れた時計を提供することができる。
【００３６】
さらに、このように多面カットされた風防ガラスが、視認側に膨出するように形成されていれば、この多面カット面で光が屈折されて、ソーラーセルに集光させる集光効果が大きくなり、より多くの光をソーラーセルのソーラー受光面へ集光でき、ソーラー発電機能にさらに優れた時計を提供することができる。
【００３７】
この場合、本明細書で、「ガラス」とは、例えば、強化ガラス、白板ガラス、青板ガラスなどの無機ガラス、高純度のアルミナを巨大結晶させたサファイアガラスなどの強化ガラス、プラスチックなどの強化ガラスなどのガラスを全て含み意味であり、特に限定されるものではない。
【００３８】
また、これらのガラスは、透明、半透明であっても良く、また、色つきのもの、異なる
色を組み合わせたものであっても良い。さらに、これらのガラスは、その表面に、例えば、旭光模様、ヘアーラインなどの目付け模様、刻印、マークなど、その他のいかなる装飾処理を施したものであっても良い。
【００３９】
なお、この場合、多面カットとは、複数の面が様々な角度で交わった面を有するような処理を言い、特に限定されるものではない。
また、風防ガラスを時計ケース胴体に装着する方法としては、特に限定されるものではなく、嵌合、圧入、かしめなどの機械的な接合、粘着剤または接着剤による接合、ゴム、樹脂などのパッキンを幅方向に圧縮しての固定方法などを用いることができる。
【００４０】
また、時計ケース胴体の材料としては、特に限定されるものではなく、例えば、金、銀、銅、プラチナ、白金、黄銅、アルミニウム、マグネシウム、亜鉛、チタン、またはこれらの合金、セラミック、超硬材などを採用することができる。
【００４１】
また、本発明の時計は、前記多面カットされた風防ガラスの視認側と反対側に、内面凹部が形成されていることを特徴とする。
多面カットされた風防ガラスの視認側と反対側に、内面凹部が形成されていれば、この内面凹部面で光が屈折されて、ソーラーセルに集光させる集光効果が大きくなり、より多くの光をソーラーセルのソーラー受光面へ集光でき、ソーラー発電機能にさらに優れた時計を提供することができる。
【００４２】
また、本発明の時計は、前記多面カットされた風防ガラスが、多面カットされた多面カット領域と、多面カットされていない視認領域とを備えることを特徴とする。
このように構成することによって、多面カットされた多面カット領域によって、装飾性が高く、美観上も優れ、デザインバリエーションの拡大化が図れ、斬新なデザインの時計を提供することができる。
【００４３】
また、多面カット領域によって、この多面カット面で光が散乱されるので、風防ガラスを介して、下方に存在するソーラーセルが透けて見えることがなく、外観品質、美観上も優れる。
【００４４】
さらに、多面カット領域を介して、外部の光を屈折させて、時計ケース胴体の近傍に配置されたソーラーセルに集光させることができるので、多くの光をソーラーセルのソーラー受光面へ集光でき、集光効率が高く、ソーラー発電機能に優れた時計を提供することができる。
【００４５】
また、多面カットされていない視認領域を介して、下方に存在する表示板上の、時刻、日付、曜日などの情報を外部より視認することができる。
また、これらの多面カットされた多面カット領域と、多面カットされていない視認領域によって、装飾的にもデザインとして構成することができ、高級感に溢れ、斬新なデザインの時計を提供することができる。
【００４６】
また、本発明の時計は、前記多面カット領域の内面に、内面被膜が形成されていることを特徴とする。
このように構成することによって、内面被膜を介して光が反射、拡散するなどして遮蔽されるので、風防ガラスを介して、多面カット領域の下方に存在するソーラーセルが透けて見えることがなく、外観品質、美観上も優れる。
【００４７】
また、この内面被膜に着色、模様を施すことによって、装飾的にもデザインとして構成することができ、高級感に溢れ、斬新なデザインの時計を提供することができる。
なお、この場合、内面被膜としては、有色被膜や反射被膜とすることができる。
【００４８】
また、内面被膜は、印刷、スピンコート、ディッピング、刷毛塗り、噴霧塗装、静電塗装、電着塗装等の塗装などにより形成した、例えば、メラミン樹脂、アクリル樹脂、エポキシ樹脂などの合成樹脂を被覆することによって形成することができる。
【００４９】
さらに、内面被膜は、印刷、スピンコート、ディッピング、刷毛塗り、噴霧塗装、静電塗装、電着塗装等の塗装などにより形成した、例えば、有機顔料若しくは無機顔料を含む、インクまたは塗料を、被覆することによって形成することができる。また、内面被膜は、印刷、スピンコート、ディッピング、刷毛塗り、噴霧塗装、静電塗装、電着塗装等の塗装などにより形成した、例えば、有機染料若しくは無機染料を含む、インクまたは塗料を、被覆することによって形成することができる。
【００５０】
さらに、内面被膜は、金、銀、銅、黄銅、アルミニウム、マグネシウム、亜鉛、チタン、クロムなどの金属から選択した少なくとも１種の金属、またはこれらの少なくとも１種の金属の合金を、例えば、熱ＣＶＤ、プラズマＣＶＤ、レーザーＣＶＤなどの化学蒸着法（ＣＶＤ）、真空蒸着、スパッタリング、またはイオンプレーティングなどのドライメッキ処理、溶射など、さらには、電解メッキ、無電解メッキ等の湿式メッキ法で、非常に薄い金属膜を形成しても良い。
【００５１】
また、上記した各種の内面被膜を組み合わせることもでき、模様を形成するようにすることも可能である。さらに、多面カット領域の内面全てに、内面被膜を形成しても良いが、部分的に一部に内面被膜を形成するようにしてもよい。
【００５２】
また、本発明の時計は、前記時計ケース胴体側の表面に、多面カット領域に対応して内面被膜が形成されていることを特徴とする。
このように、時計ケース胴体側の表面に、多面カット領域に対応して内面被膜が形成されていてもよい。
【００５３】
なお、多面カット領域の全てに対応して内面被膜を形成しても良いが、部分的に一部に内面被膜を形成するようにしてもよい。
また、本発明の時計は、
前記多面カット領域が、風防ガラスの外周側に形成され、
前記視認領域が、風防ガラスの内周側に形成されていることを特徴とする。
【００５４】
このように構成することによって、風防ガラスの外周側に形成された多面カット領域によって、装飾性が高く、美観上も優れ、デザインバリエーションの拡大化が図れ、斬新なデザインの時計を提供することができる。
【００５５】
また、風防ガラスの外周側に形成された多面カット領域によって、この多面カット面で光が散乱されるので、風防ガラスを介して、下方に存在するソーラーセルが透けて見えることがなく、外観品質、美観上も優れる。
【００５６】
さらに、風防ガラスの外周側に形成された多面カット領域を介して、外部の光を屈折させて、時計ケース胴体の側部の近傍に配置されたソーラーセルに集光させることができるので、多くの光をソーラーセルのソーラー受光面へ集光でき、集光効率が高く、ソーラー発電機能に優れた時計を提供することができる。
【００５７】
また、風防ガラスの内周側に形成された多面カットされていない視認領域を介して、下方に存在する表示板上の、時刻、日付、曜日などの情報を外部より視認することができる
。
【００５８】
また、これらの多面カットされた多面カット領域と、多面カットされていない視認領域によって、装飾的にもデザインとして構成することができ、高級感に溢れ、斬新なデザインの時計を提供することができる。
【００５９】
また、本発明の時計は、前記多面カット領域が、風防ガラスの外周に沿って、環状に形成されていることを特徴とする。
このように風防ガラスの外周に沿って、環状に形成された多面カット領域によって、装飾性が高く、美観上も優れ、デザインバリエーションの拡大化が図れ、斬新なデザインの時計を提供することができる。
【００６０】
また、本発明の時計は、前記多面カット領域が、複数の多面カット領域から構成されていることを特徴とする。
このように、多面カット領域が、複数の多面カット領域から構成することによって、これらの多面カット領域によって、装飾性が高く、美観上も優れ、デザインバリエーションの拡大化が図れ、斬新なデザインの時計を提供することができる。
【００６１】
また、本発明の時計は、視認領域が、複数の視認領域から構成されていることを特徴とする。
このように構成することによって、複数の視認領域を介して、下方に存在する表示板上の、時刻、日付、曜日などの情報を、個別に外部より視認することができる。
【００６２】
また、これらの複数の視認領域と、多面カットされていない視認領域によって、装飾的にもデザインとして構成することができ、高級感に溢れ、斬新なデザインの時計を提供することができる。
【００６３】
また、本発明の時計は、前記ソーラーセルが、時計ケース胴体の内周面側に配置されていることを特徴とする。
このように構成することによって、多面カットされた風防ガラスの多面カット面を介して、外部の光を屈折させて、時計ケース胴体の側部の、時計ケース胴体の内周面側に配置されたソーラーセルに集光させることができるので、多くの光をソーラーセルのソーラー受光面へ集光でき、集光効率が高く、ソーラー発電機能に優れた時計を提供することができる。
【００６４】
また、本発明の時計は、前記ソーラーセルが、ソーラー受光面が、内周側に立設した状態で配置されていることを特徴とする。
このように構成することによって、多面カットされた風防ガラスの多面カット面を介して、外部の光を屈折させて、時計ケース胴体の側部の、内周側に立設した状態で配置されているソーラーセルに集光させることができるので、より多くの光をソーラーセルのこの立設されたソーラー受光面へ集光でき、集光効率が高く、ソーラー発電機能に優れた時計を提供することができる。
【００６５】
また、本発明の時計は、前記ソーラーセルが、ソーラー受光面の内周側に、光透過可能な部材からなる見返し部材が配置されていることを特徴とする。
このように構成することによって、多面カットされた風防ガラスの多面カット面を介して、外部の光を屈折させて、透過可能な部材からなる見返し部材を透過させて、時計ケース胴体の側部の、内周側に立設した状態で配置されているソーラーセルに集光させることができるので、より多くの光をソーラーセルのこの立設されたソーラー受光面へ集光でき、集光効率が高く、ソーラー発電機能に優れた時計を提供することができる。
【００６６】
しかも、この見返し部材によって、装飾性が高く、美観上も優れ、デザインバリエーションの拡大化が図れ、斬新なデザインの時計を提供することができる。
また、本発明の時計は、前記ソーラーセルが、時計ケース胴体の上面側に配置されていることを特徴とする。
【００６７】
このように構成することによって、多面カットされた風防ガラスの多面カット面を介して、外部の光を屈折させて、時計ケース胴体の側部の、時計ケース胴体の上面側に配置されたソーラーセルに集光させることができるので、多くの光をソーラーセルのソーラー受光面へ集光でき、集光効率が高く、ソーラー発電機能に優れた時計を提供することができる。
【００６８】
また、本発明の時計は、前記ソーラーセルが、ソーラー受光面が、水平な状態で配置されていることを特徴とする。
このように構成することによって、多面カットされた風防ガラスの多面カット面を介して、外部の光を屈折させて、時計ケース胴体の側部の、水平な状態で配置されているソーラーセルに集光させることができるので、より多くの光をソーラーセルのこの水平な状態のソーラー受光面へ集光でき、集光効率が高く、ソーラー発電機能に優れた時計を提供することができる。
【００６９】
また、本発明の時計は、前記ソーラーセルが、環状のソーラーセルであることを特徴とする。
このようにソーラーセルが、環状（すなわち、リング状の）のソーラーセルであるので、多面カットされた風防ガラスの多面カット面を介して、あらゆる方向から入射する外部の光を屈折させて、より多くの光をソーラーセルのこの環状（リング状）のソーラー受光面へ集光でき、集光効率が高く、ソーラー発電機能に優れた時計を提供することができる。
【００７０】
また、本発明の時計は、前記時計ケース胴体が、平面視で多角形の形状であることを特徴とする。
このように構成することによって、例えば、平面視で、三角形、四角形、六角形、十二角形などの風防ガラスを配置することができ、特に、十二角形の風防ガラスを配置すれば、十二時間表示の時字に対応して、時刻の把握が容易になるとともに、デザインバリエーションの拡大が図れ、高級感のある斬新なデザインの時計を提供することができる。
【００７１】
また、本発明の時計は、前記時計ケース胴体が、平面視で円形の形状であることを特徴とする。
このように構成することによって、円形形状の風防ガラスを配置することができ、デザインバリエーションの拡大が図れ、高級感のある斬新なデザインの時計を提供することができる。
【発明の効果】
【００７２】
本発明によれば、時計ケース胴体の視認側に装着され、多面カットされた風防ガラスによって、装飾性が高く、美観上も優れ、デザインバリエーションの拡大化が図れ、斬新なデザインの時計を提供することができる。
【００７３】
また、多面カットされた風防ガラスによって、この多面カット面で光が散乱されるので、風防ガラスを介して、下方に存在するソーラーセルが透けて見えることがなく、外観品質、美観上も優れる。
【００７４】
さらに、風防ガラスの多面カット面を介して、外部の光を屈折させて、時計ケース胴体の近傍に配置されたソーラーセルに集光させることができるので、多くの光をソーラーセルのソーラー受光面へ集光でき、集光効率が高く、ソーラー発電機能に優れた時計を提供することができる。
【００７５】
特に、本発明の時計では、後述するように、風防ガラスの多面カット面を介して入射した光が、風防ガラスの多面カット面を介して屈折されて、時計ケース胴体の近傍に配置されたるソーラーセルに集光させることができるので、多くの光をソーラーセルのソーラー受光面へ集光でき、集光効率が高く、ソーラー発電機能に優れた時計を提供することができる。
【００７６】
また、このように集光効率が高いので、発電効率を上げるために、風防ガラスと表示板との間の距離を大きくする必要がなく、時計の厚さを薄くすることができ、しかも、多面カットされた風防ガラスを介して、表示板を視認した場合にも奥行きがあるように観者に見えることがなく、時計の厚さが薄く認識され装飾性、高級感に溢れた時計を提供することができる。
【発明を実施するための最良の形態】
【００７７】
以下、本発明の実施の形態（実施例）を図面に基づいてより詳細に説明する。
【実施例１】
【００７８】
図１は、本発明の時計を腕時計に適用した実施例の腕時計の斜視図、図２は、図１の腕時計の上面図、図３は、図２のＡ−Ａ線での断面図、図４は、図１の腕時計の分解斜視図、図５は、図１の腕時計の作用を示す断面概略図である。
【００７９】
図１〜図５において、符号１０は、全体で本発明の腕時計を示している。
本発明の腕時計１０は、図１、図２、図４に示したように、平面視で略円形形状の時計ケース胴体１２を備えている。
【００８０】
この時計ケース胴体１２の外側の側部には、図１〜図４に示したように、バンド１４を連結するための連結部１６が形成されており、この連結部１６に、バンド１４が、連結棒部材１８によって、脱着自在に固定されている。
【００８１】
また、時計ケース胴体１２の下端には、パッキン２０を介装した状態で、裏蓋２２が装着されている。この裏蓋２２の立ち上がり部２４と、時計ケース胴体１２の上端のフランジ２６との間に、支持枠２８を介して、時計を駆動するムーブメント３０が固定されている。
【００８２】
このムーブメント３０の上面には、表示板３２が固定されているととともに、その中心穴を介して、ムーブメント３０で駆動する回転軸３１が突出しており、この回転軸３１に、時針３３と分針３４が回転可能に固定されている。
【００８３】
また、表示板３２の外周部分に形成された段部３２ａと、時計ケース胴体１２の上端のフランジ２６との間に、リング形状の見返し部材３６が固定されている。
一方、この見返し部材３６の外周側には、ムーブメント３０の外周に上側に突設した突設部３８の内周に、環状（すなわち、リング形状）のソーラーセル４０が、ソーラーセル４０の内周面に形成したソーラー受光面４２が立設状態となるような状態で装着されている。すなわち、ソーラーセル４０が、時計ケース胴体１２の内周面側に配置されている。
【００８４】
このように構成することによって、後述するように、多面カットされた風防ガラス４６
の多面カット面４６ａを介して、外部の光を屈折させて、透過可能な部材からなる見返し部材３６を透過させて、時計ケース胴体１２の側部の、内周側に立設した状態で配置されているソーラーセル４０に集光させることができるので、より多くの光をソーラーセル４０のこの立設されたソーラー受光面４２へ集光でき、集光効率が高く、ソーラー発電機能に優れた時計を提供することができる。
【００８５】
しかも、この見返し部材３６によって、装飾性が高く、美観上も優れ、デザインバリエーションの拡大化が図れ、斬新なデザインの時計を提供することができる。
また、このように構成することによって、多面カットされた風防ガラス４６の多面カット面４６ａを介して、外部の光を屈折させて、時計ケース胴体１２の側部の、内周側に立設した状態で配置されているソーラーセル４０に集光させることができるので、より多くの光をソーラーセル４０のこの立設されたソーラー受光面４２へ集光でき、集光効率が高く、ソーラー発電機能に優れた時計を提供することができる。
【００８６】
このようにソーラーセル４０が、環状（すなわち、リング状の）のソーラーセル４０であるので、多面カットされた風防ガラス４６の多面カット面４６ａを介して、あらゆる方向から入射する外部の光を屈折させて、より多くの光をソーラーセル４０のこの環状（リング状）のソーラー受光面４２へ集光でき、集光効率が高く、ソーラー発電機能に優れた時計を提供することができる。
【００８７】
この場合、見返し部材３６を構成する材料としては、光を透過する部材であれば、特に限定されるものではなく、アクリル樹脂、ポリカーボネイト樹脂などの透明樹脂、ガラス、サファイアガラス、セラミックなどの光透過性の材料から構成することができる。
【００８８】
また、見返し部材３６には、光を透過可能な、着色膜、指標（数字、植字、石、電鋳時字、時字印刷、切分印刷などを含む）、ネーム印刷、夜光塗料層、模様（梨地模様などを含む）、または、凹凸などの装飾部材を設けることも可能である。
【００８９】
さらに、図１〜図４に示したように、時計ケース胴体１２の上面に形成された段部４４の上面には、時計ケース胴体１２の視認側に風防ガラス４６が装着されている。この風防ガラス４６は、多面カットが施されており、この実施例では、いわゆる７２面カット処理が施されている。
【００９０】
この場合、多面カットされた風防ガラス４６が、視認側に膨出するように、略ドーム形状に形成されているのが望ましい。
このように多面カットされた風防ガラス４６が、視認側に膨出するように形成されていれば、後述するように、この多面カット面４６ａで光が屈折されて、ソーラーセル４０に集光させる集光効果が大きくなり、より多くの光をソーラーセル４０のソーラー受光面４２へ集光でき、ソーラー発電機能にさらに優れた時計を提供することができる。
【００９１】
なお、この実施例では、多面カットされた風防ガラス４６が、視認側に膨出するように、略ドーム形状に形成されているが、その他の視認側に膨出する形状であれば特に限定されるものではない。
【００９２】
また、図１〜図４に示したように、多面カットされた風防ガラス４６が、多面カットされた多面カット領域４８と、多面カットされていない平坦な視認領域５０とを備えている。
【００９３】
すなわち、この実施例では、多面カット領域４８が、風防ガラス４６の外周側に形成され、視認領域５０が、風防ガラス４６の内周側に形成されている。
なお、この実施例では、多面カットされていない視認領域５０を平坦な形状としたが、その他の形状、例えば、多面カット領域４８と同様なドーム形状とすることも可能である。
【００９４】
このように構成することによって、多面カットされた多面カット領域４８によって、装飾性が高く、美観上も優れ、デザインバリエーションの拡大化が図れ、斬新なデザインの時計を提供することができる。
【００９５】
また、多面カット領域４８によって、この多面カット面４６ａで光が散乱されるので、風防ガラス４６を介して、下方に存在するソーラーセルが透けて見えることがなく、外観品質、美観上も優れる。
【００９６】
さらに、多面カット領域４８を介して、後述するように、外部の光を屈折させて、時計ケース胴体１２の近傍に配置されたソーラーセル４０に集光させることができるので、多くの光をソーラーセル４０のソーラー受光面４２へ集光でき、集光効率が高く、ソーラー発電機能に優れた時計を提供することができる。
【００９７】
また、多面カットされていない視認領域５０を介して、下方に存在する表示板３２上の、時刻、日付、曜日などの情報を外部より視認することができる。
また、これらの多面カットされた多面カット領域４８と、多面カットされていない視認領域５０によって、装飾的にもデザインとして構成することができ、高級感に溢れ、斬新なデザインの時計を提供することができる。
【００９８】
この場合、「ガラス」とは、例えば、強化ガラス、白板ガラス、青板ガラスなどの無機ガラス、高純度のアルミナを巨大結晶させたサファイアガラスなどの強化ガラス、プラスチックなどの強化ガラスなどのガラスを全て含み意味であり、特に限定されるものではない。
【００９９】
また、これらのガラスは、透明、半透明であっても良く、また、色つきのもの、異なる色を組み合わせたものであっても良い。さらに、これらのガラスは、その表面に、例えば、旭光模様、ヘアーラインなどの目付け模様、刻印、マークなど、その他のいかなる装飾処理を施したものであっても良い。
【０１００】
風防ガラス４６を時計ケース胴体１２の上面に装着する方法としては、特に限定されるものではなく、嵌合、圧入、かしめなどの機械的な接合、粘着剤または接着剤による接合、ゴム、樹脂などのパッキンを幅方向に圧縮しての固定方法などを用いることができる。
【０１０１】
なお、この実施例では、説明の便宜上、時計ケース胴体１２の上面との間に介装されるパッキンは省略して示してある。
また、時計ケース胴体１２の材料としては、特に限定されるものではなく、例えば、金、銀、銅、プラチナ、白金、黄銅、アルミニウム、マグネシウム、亜鉛、チタン、またはこれらの合金、セラミック、超硬材などを採用することができる。
【０１０２】
このように風防ガラス４６が、多面カットが施されているので、デザインバリエーションの拡大が図れ、高級感のある斬新なデザインの時計を提供することができる。
なお、この場合、多面カットとは、複数の面が様々な角度で交わった面を有するような処理を言い、特に限定されるものではない。
【０１０３】
なお、図１〜図４に示したように、時計ケース胴体１２の側面には、例えば、リューズなどの操作部材５２が設けられている。
このように構成される本発明の腕時計について、図５の腕時計の作用を示す断面概略図に基づいて説明する。
【０１０４】
図５に示したように、風防ガラス４６の多面カット面４６ａを介して入射した光Ｌ１は、この多面カット面４６ａによって屈折されて、風防ガラス４６の内部を光Ｌ２として透過する。
【０１０５】
そして、風防ガラス４６の下面で屈折された光Ｌ３は、時計ケース胴体１２の近傍に配置されたるソーラーセル４０のソーラーセルに集光される。
すなわち、面多面カットされた風防ガラス４６の多面カット面４６ａを介して、外部の光Ｌ１は、屈折されて、光Ｌ２として、透過可能な部材からなる見返し部材３６を透過して、時計ケース胴体１２の側部の、内周側に立設した状態で配置されているソーラーセル４０に集光される。
【０１０６】
この場合、より多くの光をソーラーセル４０のこの立設されたソーラー受光面４２へ集光でき、集光効率が高く、ソーラー発電機能に優れた時計を提供することができる。
このようにソーラーセル４０が、環状（すなわち、リング状の）のソーラーセル４０であるので、多面カットされた風防ガラス４６の多面カット面４６ａを介して、あらゆる方向から入射する外部の光を屈折させて、より多くの光をソーラーセル４０のこの環状（リング状）のソーラー受光面４２へ集光でき、集光効率が高く、ソーラー発電機能に優れた時計を提供することができる。
【０１０７】
なお、この実施例の場合には、ソーラーセル４０が、環状（すなわち、リング状の）のソーラーセル４０としたが、図示しないが、時計ケース胴体１２の内周面に部分的に設けることももちろん可能である。
【０１０８】
一方、多面カット領域４８によって、この多面カット面４６ａで光が散乱されるので、風防ガラス４６を介して、下方に存在するソーラーセル４０が透けて見えることがなく、外観品質、美観上も優れる。
【０１０９】
また、矢印Ｐ１で示したように、多面カットされていない視認領域５０を介して、下方に存在する表示板３２上の、時刻、日付、曜日などの情報を外部より視認することができる。
【０１１０】
また、このように集光効率が高いので、図５に示したように、発電効率を上げるために、風防ガラス４６と表示板３２との間の距離Ｓ１を大きくする必要がなく、時計の厚さを薄くすることができ、しかも、多面カットされた風防ガラス４６を介して、表示板３２を視認した場合にも奥行きがあるように観者に見えることがなく、時計の厚さが薄いように認識され装飾性、高級感に溢れた時計を提供することができる。
【０１１１】
また、この場合、表示板３２は、時計ケース胴体１２の上端のフランジ２６とムーブメント３０との間に、リング形状の見返し部材３６を介して装着されているので、風防ガラス４６とは、直接接触していない状態である。
【０１１２】
従って、例えば、表示板３２が、貝などの脆い部材から構成した場合にも、風防ガラス４６を介して外部からの衝撃が直接表示板３２に伝達されることがなく、表示板３２が破損損傷することがなく、外観品質の低下をまねくこともない。
【実施例２】
【０１１３】
図６は、本発明の別の実施例の時計の図２と同様な腕時計の上面図、図７は、図６の腕
時計の図３と同様な断面図、図８は、図６の腕時計の作用を示す図５と同様な断面概略図である。
【０１１４】
この実施例の腕時計１０は、図１〜図５に示した実施例１の腕時計１０と基本的には同様な構成であり、同一の構成部材には、同一の参照番号を付して、その詳細な説明を省略する。
【０１１５】
この実施例の腕時計１０では、図６、図７に示したように、風防ガラス４６の多面カット領域４８の内面（すなわち、下面）に、内面被膜５４が形成されている。
このように構成することによって、内面被膜５４を介して光が反射、拡散するなどして遮蔽されるので、風防ガラス４６を介して、多面カット領域４８の下方に存在するソーラーセル４０が透けて見えることがなく、外観品質、美観上も優れる。
【０１１６】
また、この内面被膜５４に着色、模様を施すことによって、装飾的にもデザインとして構成することができ、高級感に溢れ、斬新なデザインの時計を提供することができる。
なお、この場合、内面被膜５４としては、有色被膜や反射被膜とすることができる。また、ここでの反射被膜とは、光を透過するものであってもよいことは言うまでもない。
【０１１７】
また、内面被膜５４は、印刷、スピンコート、ディッピング、刷毛塗り、噴霧塗装、静電塗装、電着塗装等の塗装などにより形成した、例えば、メラミン樹脂、アクリル樹脂、エポキシ樹脂などの合成樹脂を被覆することによって形成することができる。
【０１１８】
さらに、内面被膜５４は、金、銀、銅、黄銅、アルミニウム、マグネシウム、亜鉛、チタン、クロムなどの金属から選択した少なくとも１種の金属、またはこれらの少なくとも１種の金属の合金を、例えば、熱ＣＶＤ、プラズマＣＶＤ、レーザーＣＶＤなどの化学蒸着法（ＣＶＤ）、真空蒸着、スパッタリング、またはイオンプレーティングなどのドライメッキ処理、溶射など、さらには、電解メッキ、無電解メッキ等の湿式メッキ法で、非常に薄い金属膜を形成しても良い。
【０１１９】
また、上記した各種の内面被膜５４を組み合わせることもでき、模様を形成するようにすることも可能である。さらに、多面カット領域４８の内面全てに、内面被膜を形成しても良いが、図示しないが、部分的に一部に内面被膜５４を形成するようにしてもよい。
【０１２０】
また、図示しないが、時計ケース胴体１２側の表面に、多面カット領域４８に対応して内面被膜５４を形成することもできる。
なお、図示しないが、多面カット領域４８の全てに対応して内面被膜５４を形成しても良いが、部分的に一部に内面被膜を形成するようにしてもよい。
【０１２１】
このように構成される本発明の腕時計について、図８の腕時計の作用を示す断面概略図に基づいて説明する。
図８に示したように、風防ガラス４６の多面カット面４６ａを介して入射した光Ｌ１は、この多面カット面４６ａによって屈折されて、風防ガラス４６の内部を光Ｌ２として透過する。
【０１２２】
そして、風防ガラス４６の下面で屈折された光Ｌ３は、時計ケース胴体１２の近傍に配置されたるソーラーセル４０に集光される。
また、矢印Ｐ１で示したように、多面カットされていない視認領域５０を介して、下方に存在する表示板３２上の、時刻、日付、曜日などの情報を外部より視認することができる。
【０１２３】
一方、風防ガラス４６の多面カット面４６ａを介して入射した光Ｌ１は、この多面カット面４６ａによって屈折されて、風防ガラス４６の内部を光Ｌ２として透過する光の一部は、風防ガラス４６の多面カット領域４８の内面被膜５４で反射、拡散（Ｌ４）などされることになるので、風防ガラス４６を介して、多面カット領域４８の下方に存在するソーラーセル４０が透けて見えることがなく、外観品質、美観上も優れる。
【実施例３】
【０１２４】
図９は、本発明の別の実施例の時計の作用を示す図５と同様な断面概略図である。
この実施例の腕時計１０は、図１〜図５に示した実施例１の腕時計１０と基本的には同様な構成であり、同一の構成部材には、同一の参照番号を付して、その詳細な説明を省略する。
【０１２５】
この実施例の腕時計１０では、図９に示したように、多面カットされた風防ガラス４６の視認側と反対側に、略ドーム形状の内面凹部５６が形成されている。
なお、この実施例では、多面カットされた風防ガラス４６の視認側と反対側に形成された多面カットされた風防ガラス４６が、略ドーム形状に形成されているが、凹部形状であれば特に限定されるものではない。
【０１２６】
このように、多面カットされた風防ガラス４６の視認側と反対側に、内面凹部５６が形成されていれば、図９に示したように、この内面凹部５６の内面凹部面５６ａで光Ｌ３が屈折されて、ソーラーセル４０に集光させる集光効果が大きくなり、より多くの光をソーラーセル４０のソーラー受光面４２へ集光でき、ソーラー発電機能にさらに優れた時計を提供することができる。
【実施例４】
【０１２７】
図１０は、本発明の別の実施例の時計の作用を示す図９と同様な断面概略図である。
この実施例の腕時計１０は、図９に示した実施例３の腕時計１０と基本的には同様な構成であり、同一の構成部材には、同一の参照番号を付して、その詳細な説明を省略する。
【０１２８】
この実施例の腕時計１０では、図１０に示したように、風防ガラス４６の多面カット領域４８の内面（すなわち、下面）に、内面被膜５４が形成されている。
このように構成することによって、風防ガラス４６の多面カット面４６ａを介して入射した光Ｌ１は、この多面カット面４６ａによって屈折されて、風防ガラス４６の内部を光Ｌ２として透過する光の一部は、風防ガラス４６の多面カット領域４８の内面被膜５４で反射、拡散（Ｌ４）などされることになるので、風防ガラス４６を介して、多面カット領域４８の下方に存在するソーラーセル４０が透けて見えることがなく、外観品質、美観上も優れる。
【実施例５】
【０１２９】
図１１は、本発明の別の実施例の時計の作用を示す図５と同様な断面概略図である。
この実施例の腕時計１０は、図１〜図５に示した実施例１の腕時計１０と基本的には同様な構成であり、同一の構成部材には、同一の参照番号を付して、その詳細な説明を省略する。
【０１３０】
この実施例の腕時計１０では、図１１に示したように、ソーラーセル４０が、時計ケース胴体１２の上面側に形成された段部１２ａと、見返し部材３６の外周側に形成された段部３６ａに装着するように配置されている。
【０１３１】
すなわち、ソーラーセル４０のソーラー受光面４２が、水平な状態で配置されている。そして、このソーラーセル４０とムーブメント３０との間は、配線５８で電気的に接続さ
れている。
【０１３２】
また、時計ケース胴体１２と風防ガラス４６との間には、防水パッキン６６が介装されている。
このように構成することによって、図１１に示したように、多面カットされた風防ガラス４６の多面カット面４６ａを介して、外部の光Ｌ１を屈折させて、光Ｌ２として、時計ケース胴体１２の側部の、水平な状態で配置されているソーラーセル４０に集光させることができるので、より多くの光をソーラーセル４０のこの水平な状態のソーラー受光面４２へ集光でき、集光効率が高く、ソーラー発電機能に優れた時計を提供することができる。
【実施例６】
【０１３３】
図１２は、本発明の別の実施例の時計の作用を示す図１１と同様な断面概略図である。
この実施例の腕時計１０は、図１１に示した実施例３の腕時計１０と基本的には同様な構成であり、同一の構成部材には、同一の参照番号を付して、その詳細な説明を省略する。
【０１３４】
この実施例の腕時計１０では、図１２に示したように、風防ガラス４６の多面カット領域４８の内面（すなわち、下面）に、内面被膜６０が形成されている。
この場合、内面被膜６０は、例えば、クロム、ニッケル、アルミニウム、パラジウム、ロジウム、プラチナなどの光反射率の高い金属を用いて、例えば、蒸着、イオンメッキなどのドライメッキによって、３００〜３０００Å、好ましくは５００〜１０００Åの極めて薄い金属被膜として形成したものが使用可能である。鏡面反射膜は、膜厚を適宜変えることにより、光の一部を反射し、光の他の一部を吸収し、残りの光を透過させる機能を有する薄膜としても調整可能である。
【０１３５】
また、前述したような、スピンコート処理、ロールコート処理、研磨処理から選択した少なくとも１つの平滑処理を施すことも可能である。
このように構成することによって、風防ガラス４６の多面カット面４６ａを介して入射した光Ｌ１は、この多面カット面４６ａによって屈折されて、風防ガラス４６の内部を光Ｌ２として透過する光の一部は、風防ガラス４６の多面カット領域４８の内面被膜６０で反射、拡散（Ｌ４）などされることになるので、風防ガラス４６を介して、多面カット領域４８の下方に存在するソーラーセル４０が透けて見えることがなく、外観品質、美観上も優れる。
【０１３６】
また、風防ガラス４６の多面カット面４６ａを介して入射した光Ｌ１は、この多面カット面４６ａによって屈折されて、風防ガラス４６の内部を光Ｌ２として透過する光の一部は、風防ガラス４６の多面カット領域４８の内面被膜６０を透過する（Ｌ５）ので、ソーラーセル４０のソーラー受光面４２に入射され、発電機能を阻害することがないようになっている。
【実施例７】
【０１３７】
図１３は、本発明の別の実施例の時計の図２と同様な腕時計の上面図である。
この実施例の腕時計１０は、図１〜図５に示した実施例１の腕時計１０と基本的には同様な構成であり、同一の構成部材には、同一の参照番号を付して、その詳細な説明を省略する。
【０１３８】
この実施例の腕時計１０では、図１３に示したように、風防ガラス４６の多面カット領域４８が、複数の多面カット領域４８ｃから構成されている。
このように、多面カット領域４８が、複数の多面カット領域４８から構成することによ
って、これらの多面カット領域によって、装飾性が高く、美観上も優れ、デザインバリエーションの拡大化が図れ、斬新なデザインの時計を提供することができる。
【実施例８】
【０１３９】
図１４は、本発明の別の実施例の時計の図２と同様な腕時計の上面図である。
この実施例の腕時計１０は、図１〜図５に示した実施例１の腕時計１０と基本的には同様な構成であり、同一の構成部材には、同一の参照番号を付して、その詳細な説明を省略する。
【０１４０】
この実施例の腕時計１０では、図１４に示したように、視認領域５０が、複数の視認領域５０から構成されている。
このように構成することによって、複数の視認領域５０を介して、下方に存在する表示板３２上の、時刻、日付、曜日などの情報を、個別に外部より視認することができる。
【０１４１】
また、これらの複数の視認領域５０と、多面カットされていない視認領域５０によって、装飾的にもデザインとして構成することができ、高級感に溢れ、斬新なデザインの時計を提供することができる。
【実施例９】
【０１４２】
図１５は、本発明の別の実施例の時計の図２と同様な腕時計の上面図である。
この実施例の腕時計１０は、図１〜図５に示した実施例１の腕時計１０と基本的には同様な構成であり、同一の構成部材には、同一の参照番号を付して、その詳細な説明を省略する。
【０１４３】
この実施例の腕時計１０では、図１５に示したように、時計ケース胴体１２が、平面視で三角形の形状であり、時計ケース胴体１２が平面視で三角形の形状で、平面視で三角形の形状の風防ガラス４６が装着されている。
【０１４４】
そして、外周側に略三角形の縁形状の多面カット領域４８と、内周側に三角形の視認領域５０が形成されている。
また、この実施例では、時計ケース胴体１２の１つの頂点に、例えば、いわゆるナス環などの止め具６２が設けられており、これにより、バッグなどに取り付けるアクセサリーなどの時計付き装身具として使用できるようになっており、デザインバリエーションの拡大が図れ、高級感のある斬新なデザインの時計を提供することができる。
【実施例１０】
【０１４５】
図１６は、本発明の別の実施例の時計の図２と同様な腕時計の上面図である。
この実施例の腕時計１０は、図１〜図５に示した実施例１の腕時計１０と基本的には同様な構成であり、同一の構成部材には、同一の参照番号を付して、その詳細な説明を省略する。
【０１４６】
この実施例の腕時計１０では、図１６に示したように、時計ケース胴体１２が平面視で矩形の形状で、平面視で矩形の形状の風防ガラス４６が装着されている。
そして、外周側に略矩形の縁形状の多面カット領域４８と、内周側に略矩形の視認領域５０が形成されている。
【０１４７】
これにより、デザインバリエーションの拡大が図れ、高級感のある斬新なデザインの時計を提供することができる。
【実施例１１】
【０１４８】
図１７は、本発明の別の実施例の時計の図２と同様な腕時計の上面図である。
この実施例の腕時計１０は、図１〜図５に示した実施例１の腕時計１０と基本的には同様な構成であり、同一の構成部材には、同一の参照番号を付して、その詳細な説明を省略する。
【０１４９】
この実施例の腕時計１０では、図１７に示したように、時計ケース胴体１２が、平面視で多角形の形状であり、この実施例では、１２角形となっている。これらの１２角形の頂点に対応するように、風防ガラス４６の多面カット領域４８の頂点４８ａが形成されており、十二時間表示の時字６４に対応している。
【実施例１２】
【０１５０】
図１８は、本発明の別の実施例の時計の図２と同様な腕時計の上面図である。
この実施例の腕時計１０は、図１〜図５に示した実施例１の腕時計１０と基本的には同様な構成であり、同一の構成部材には、同一の参照番号を付して、その詳細な説明を省略する。
【０１５１】
この実施例の腕時計１０では、図１８に示したように、時計ケース胴体１２が、平面視で多角形の形状であり、この実施例では、８角形となっている。これらの８角形の一つ沖の辺に対応するように、風防ガラス４６の多面カット領域４８の辺４８ｂが形成されており、十二時間表示の３時間毎の時字６４に対応している。
【０１５２】
このように構成することによって、例えば、平面視で、三角形、四角形、六角形、十二角形などの風防ガラス４６を配置することができ、特に、この実施例のように十二角形に配置すれば、十二時間表示の時字６４に対応して、風防ガラス４６の多面カット領域４８の頂点４８ａ、辺４８ｂを配置することができ、時刻の把握が容易になるとともに、デザインバリエーションの拡大が図れ、高級感のある斬新なデザインの時計を提供することができる。
【０１５３】
以上、本発明の好ましい実施の態様を説明してきたが、本発明はこれに限定されることはなく、例えば、上記実施例では、本発明の時計を、腕時計に適用したが、置時計、時計付き装身具などにも用いることもでき、本発明の目的を逸脱しない範囲で種々の変更が可能である。
【図面の簡単な説明】
【０１５４】
【図１】図１は、本発明の時計を腕時計に適用した実施例の腕時計の斜視図である。
【図２】図２は、図１の腕時計の上面図である。
【図３】図３は、図２のＡ−Ａ線での断面図である。
【図４】図４は、図１の腕時計の分解斜視図である。
【図５】図５は、図１の腕時計の作用を示す断面概略図である。
【図６】図６は、本発明の別の実施例の時計の図２と同様な腕時計の上面図である。
【図７】図７は、図６の腕時計の図３と同様な断面図である。
【図８】図８は、図６の腕時計の作用を示す図５と同様な断面概略図である。
【図９】図９は、本発明の別の実施例の時計の作用を示す図５と同様な断面概略図である。
【図１０】図１０は、本発明の別の実施例の時計の作用を示す図９と同様な断面概略図である。
【図１１】図１１は、本発明の別の実施例の時計の作用を示す図５と同様な断面概略図である。
【図１２】図１２は、本発明の別の実施例の時計の作用を示す図１１と同様な断面概略図である。
【図１３】図１３は、本発明の別の実施例の時計の図２と同様な腕時計の上面図である。
【図１４】図１４は、本発明の別の実施例の時計の図２と同様な腕時計の上面図である。
【図１５】図１５は、図１４の腕時計の図２と同様な腕時計の上面図である。
【図１６】図１６は、本発明の別の実施例の時計の図２と同様な腕時計の上面図である。
【図１７】図１７は、本発明の別の実施例の時計の図２と同様な腕時計の上面図である。
【図１８】図１８は、本発明の別の実施例の時計の図２と同様な腕時計の上面図である。
【図１９】図１９は、従来のガラス部材を備えた腕時計の平面図である。
【図２０】図２０は、図１９の部分拡大断面図である。
【図２１】図２１は、従来の時計の断面図である。
【図２２】図２２は、従来の時計の断面図である。
【図２３】図２３は、従来の時計の断面図である。
【符号の説明】
【０１５５】
１０   腕時計
１２   時計ケース胴体
１２ａ 段部
１４   バンド
１６   連結部
１８   連結棒部材
２０   パッキン
２２   裏蓋
２４   立ち上がり部
２６   フランジ
２８   支持枠
３０   ムーブメント
３１   回転軸
３２   表示板
３３   時針
３２ａ 段部
３４   分針
３６   見返し部材
３６ａ 段部
３８   突設部
４０   ソーラーセル
４２   ソーラー受光面
４４   段部
４６   風防ガラス
４６ａ 多面カット面
４８、４８ｃ  多面カット領域
４８ａ 頂点
４８ｂ 辺
５０、５０ａ  視認領域
５２   操作部材
５４   内面被膜
５６   内面凹部
５６ａ 内面凹部面
５８   配線
６０   内面被膜
６２   止め具
６４   時字
６６   防水パッキン
１００ 腕時計
１０２ 時計ケース胴体
１０４ 上方フランジ
１０６ 見返し部
１０８ 風防ガラス
１０８ａ      多面カット領域
１０８ｂ      視認領域
１１０ 裏蓋
１１２ パッキン
１１４ 防水パッキン
１１６ 表示板
１１８ ムーブメント
１２０ 支持枠
１２２ バンドの連結部材
１２４ バンド
１２６ 操作部材
２００ 時計
２０２ 時計ケース胴体
２０４ ソーラーセル装着用凹部
２０６ ソーラーセル
２０６ａ      ソーラー受光面
２０８ 裏蓋
２１０ パッキン
２１４ 表示板
２１６ ムーブメント
２１８ 支持枠
２２０ 風防ガラス
２２２ 配線
３００ 時計
３０２ 時計ケース胴体
３０４ 中枠
３０４ａ      上部
３０６ ソーラーセル
３０６ａ      ソーラー受光面
３０８ 裏蓋
３１０ パッキン
３１２ 防水パッキン
３１４ 表示板
３１６ ムーブメント
３１８ 風防ガラス
３２２ 配線
３２４ 見返し部材
４００ 時計
４０２ 時計ケース胴体
４０４ 中枠
４０４ａ      上部
４０６ ソーラーセル
４０６ａ      ソーラー受光面
４１８ 風防ガラス
４１８ａ      プリズム部分
【図１】
2010151511.tif 000003
【図２】
2010151511.tif 000004
【図３】
2010151511.tif 000005
【図４】
2010151511.tif 000006
【図５】
2010151511.tif 000007
【図６】
2010151511.tif 000008
【図７】
2010151511.tif 000009
【図８】
2010151511.tif 000010
【図９】
2010151511.tif 000011
【図１０】
2010151511.tif 000012
【図１１】
2010151511.tif 000013
【図１２】
2010151511.tif 000014
【図１３】
2010151511.tif 000015
【図１４】
2010151511.tif 000016
【図１５】
2010151511.tif 000017
【図１６】
2010151511.tif 000018
【図１７】
2010151511.tif 000019
【図１８】
2010151511.tif 000020
【図１９】
2010151511.tif 000021
【図２０】
2010151511.tif 000022
【図２１】
2010151511.tif 000023
【図２２】
2010151511.tif 000024
【図２３】
2010151511.tif 000025